(57)【要約】【課題】本発明は、従来から用いられている回路を利用した新規なマイクロステップ駆動方法及び同マイクロステップ駆動方法により駆動されるステッピングモータを提供することにある。【解決手段】ステッピングモータの少なくとも駆動時には常時３相Ｕ〜Ｗを全て励磁状態となして、基本ステップにおける励磁パターンと次の基本ステップにおける励磁パターンとの出力割合をステップ毎に漸増及び漸減することで変更し、基本ステップ間を多分割し、定電流コントロール回路２からのＰＷＭ周期と励磁パターン発生回路１から出力する励磁パターンの出力とを同期させ、励磁パターン発生回路１から出力する励磁パターンの出力回数を制御してマイクロステップ駆動を行う。【選択図】図３
2004266974.tif 000002
【特許請求の範囲】
【請求項１】
定電流コントロール回路及び励磁パターン発生回路を備え、Ｎ相ステッピングモータの各コイル巻線を、その始端を１点で接続して放射状に結線し、これらの相の端部に各別に出力段としてのスイッチング手段を接続し、同スイッチング手段に電源電圧の正極又は負極を接続して各相を励磁するステッピングモータのマイクロステップ方法において、
前記ステッピングモータの少なくとも駆動時には、常時Ｎ相を全て励磁状態となし、
各基本ステップに対応した合成トルクベクトルを発生させる基本励磁パターンとして、それぞれ少なくとも１以上の組合せによる励磁パターンを前記励磁パターン発生回路に設定し、
一つの励磁シーケンス中に前記基本ステップの中間段階に対応した合成トルクベクトルを発生させる中間励磁パターンを、前記中間段階の前後の基本ステップにおけるそれぞれの前記基本励磁パターンの出力割合を変更して組合せた励磁パターンとして前記励磁パターン発生回路に設定し、
一つの励磁シーケンス中における前記励磁パターン発生回路から出力される個々の励磁パターンの出力割合をステップ毎に漸増並びに漸減して、前記前段階の基本ステップでの基本励磁パターンから次の基本ステップでの基本励磁パターンへ連続的に変化させ、
一つの励磁シーケンス中における前記合成トルクベクトルが、前記ステップ毎に基本ステップ間を多分割駆動されてなることを特徴とするステッピングモータのマイクロステップ方法。
【請求項２】
前記励磁パターン発生回路から出力する個々の励磁パターンの出力周期と前記定電流コントロール回路から出力されるＰＷＭ周期とを同期させ、各ステップにおける前記励磁パターン発生回路から出力する個々の励磁パターンの励磁時間を均一となし、
ステップ毎に前記励磁パターン発生回路から出力する個々の励磁パターンの出力割合の漸増並びに漸減を、各ステップにおいて前記励磁パターン発生回路から出力する個々の励磁パターンの出力周期の発生回数を漸増並びに漸減することにより行うことを特徴とする請求項１記載のマイクロステップ方法。
【請求項３】
前記定電流コントロール回路から励磁パターンの出力をＯＮとする信号が前記励磁パターン発生回路に入力されている間は、前記励磁パターン発生回路から出力する基本励磁パターン又は中間励磁パターンに従って各相を励磁し、
同定電流コントロール回路出力から励磁パターンの出力をＯＦＦとする信号が前記励磁パターン発生回路に入力されている間は、前記コイル巻線終端の何れも前記電源電圧の同一極に接続することにより、同コイル巻線の終端すべてを同電位としてモータを非励磁とすることを特徴とする請求項２記載のマイクロステップ方法。
【請求項４】
前記定電流コントロール回路が、前記ステッピングモータの各相のインピーダンスの変化による総電流の変化を検出し、
前記総電流が一定となるように、前記励磁パターン発生回路に対して前記スイッチング手段の電流ＯＮとする時間を制御することを特徴とする請求項２または３記載のマイクロステップ方法。
【請求項５】
前記励磁パターン発生回路から出力する基本励磁パターン及び中間励磁パターンの出力周期を一定となし、
ステップ毎に前記励磁パターン発生回路から出力する個々の励磁パターンの出力割合の漸増並びに漸減を、前記励磁パターン発生回路から出力する個々の励磁パターンの励磁時間の比率を変化させることにより行うことを特徴とする請求項１記載のマイクロステップ方法。
【請求項６】
前記定電流コントロール回路が、前記ステッピングモータの各相のインピーダンスの変化による総電流の変化を検出し、
前記総電流が一定となるように、前記電源電圧と出力段間に前記電源電圧と並列に設けたモータ駆動電圧に対して前記電源電圧の断接を行う電源用スイッチング手段の電流ＯＮとする時間を制御することを特徴とする請求項５記載のマイクロステップ方法。
【請求項７】
前記請求項１〜６記載のマイクロステップ方法にて駆動されるステッピングモータを、位置決め用モータとして使用することを特徴とするステッピングモータ。
【請求項８】
前記請求項１〜６記載のマイクロステップ方法にて駆動されるステッピングモータを、超低速等速用モータとして使用することを特徴とするステッピングモータ。
【発明の詳細な説明】
【０００１】
【発明の属する技術分野】
本発明は放射状結線のＮ相ステッピングモータにおけるマイクロステップ駆動（多分割駆動）を、ステッピングモータの駆動時に常時Ｎ相を全て励磁状態となして行うマイクロステップ方法及び同マイクロステップ方法で駆動されるステッピングモータに関する。
【０００２】
【従来の技術】
ステッピングモータは、複数の相（巻線）を備えており、基本ステップに対応した励磁パターンで各相を励磁することで、基本ステップに対応した合成トルクベクトルが得られる。励磁パターンを他の基本ステップの励磁パターンに変更することで、合成トルクベクトルを新たな基本ステップに対応した位置に進行させることができ、これによってステッピングモータを所定の回転角度だけ回転させることができるようになっている。
【０００３】
また、ステッピングモータは、基本的には次のパルスが入力されてステップが歩進されるまで繰り返し出力される基本ステップの励磁パターンにより所定の角度位置に駆動制御される。次のパルスが入力されてステップが一つ歩進する毎に新たな基本ステップの励磁パターンによる角度位置にステップ駆動される。この駆動が、フルステップ駆動と呼ばれている。
【０００４】
図１、２を用いて以下に放射状結線した３相ステッピングモータのステップ駆動について簡単に説明する。図１には、放射状結線した３相ステッピングモータのコイル巻線と励磁電流の向き及びトルクベクトルを示すモータ結線図を示しており、図２としては、図１におけるトルクベクトル図を示している。図１において、各相の矢印は電流の向きを表しており、トルクベクトル図上のＵ、Ｖ、Ｗ、ｕ、ｖ、ｗに対応して示してある。
【０００５】
今、Ｕ相の終端を正極に接続し、Ｖ相及びＷ相の終端を負極に接続すると、Ｕ相では実線の矢印で示す電流が流れトルクベクトルＵが発生し、Ｖ相では点線の矢印で示す電流が流れトルクベクトルｖが発生し、Ｗ相でも同じく点線の矢印で示す電流が流れトルクベクトルｗが発生する。各相で発生したトルクベクトルＵ、ｖ、ｗを図２のトルクベクトル図上で表すと、発生したトルクベクトルＵ、ｖ、ｗの合成トルクベクトルは図２のＵ方向のベクトルとなる。
【０００６】
このとき各相に流した電流の向きにより各相に発生するトルクベクトルをｖＵｗ等の形で表現したものを励磁パターンと呼んでいる。合成トルクベクトルがステップ毎に、例えばＵ→ｗ→Ｖ→ｕ→Ｗ→ｖ→Ｕのように隣り合う基本ステップ毎にステップ駆動することをフルステップ駆動と呼び、ステップ毎に基本ステップの半分の中間角毎、上記例では、ステップ毎にＵの次にＵとｗとの中間角位置となり、その次のステップでｗの位置となるように基本ステップの半分の角度ステップ駆動することをハーフステップ駆動と呼んでいる。またステップ毎に基本ステップ間を多分割に分割駆動するものをマイクロステップ駆動（多分割駆動）と呼ばれており、本願発明は、基本ステップ間をステップ毎に多分割に分割駆動するマイクロステップ駆動に関するものである。
【０００７】
ハーフステップ駆動以上の多分割駆動によるマイクロステップ駆動についても従来から各種提案があり、各相電流検出回路、パルス幅変調パターン発生回路、電圧指示パターン発生回路、ＰＷＭパルス発生回路、電流指令回路、出力段スイッチングデューティ補正回路等を、従来回路に追加することでマイクロステップ駆動が行われている。
【０００８】
一般に３相や５相ステッピングモータにおけるマイクロステップ駆動としては、各相に流れる電流を個々に検出し、各相の電流を制御する方法が従来から行われていた（例えば、特許文献１参照。）。また、ステップ毎に前の励磁パターンから次の励磁パターンへ切り替える時に、５相のうち或る励磁相の励磁電流をステップ毎に出力デューティ制御して漸増あるいは漸減させることで、励磁相の出力ベクトルを制御してマイクロステップ駆動するもの（例えば、特許文献２参照。）や、同じく５相ステッピングモータにおいて、励磁パターンの組合せとして１相を逆励磁させることによりマイクロステップ駆動するもの（例えば、特許文献３参照。）が提案されている。
【０００９】
特許文献１の特に従来例として記載されたもののように、従来から行われているものでは各相に流れる電流を個々に検出し、各相の電流を制御する方法が行われている。この方法では、電流検出回路と制御回路が相の数だけ必要となり、回路が複雑になるばかりか、各相の電流検出回路のバラツキの調整が困難であった。また、電流検出回路と制御回路を相の数だけ必要とするため、コストアップにつながるなど色々な問題をかかえていた。
【００１０】
また、特許文献２に記載されたものを図１５、図１６を用いて説明すると、図１５に示すように、Ａ相、Ｃ相、Ｅ相の相コイル２１，２３，２５と、Ｂ相、Ｄ相の相コイル２２，２４とを互いに逆相にして夫々の一端を共通接続して放射状結線となっている。Ａ相、Ｃ相、Ｅ相、Ｂ相、Ｄ相の相コイル２１、２３、２５、２２、２４の他端を、トランジスタＴＡＰ  、ＴＣＰ  、ＴＥＰ  、ＴＢＰ  、ＴＤＰ  を各別に介して電源２７の正極＋と、トランジスタＴＡＮ  、ＴＣＮ  、ＴＥＮ  、ＴＢＮ  、ＴＤＮ  を各別に介して電源２７の負極−と接続する。
【００１１】
ステップ毎に２又は３個の相コイルを並列励磁する第１の相コイルグループとそれら以外の相コイルを並列励磁する第２の相コイルグループとの直列回路を形成し、図１６に示すように並列励磁している３個のうちの１個の相コイルの電流をデューティ制御する。
即ち、図１６における「オン」の期間を１として、ｋを０＜ｋ＜１の期間でオンさせる。
【００１２】
この特許文献２に記載されたものは、励磁相の出力ベクトルを制御するものであるが、制御対象の励磁相に残存する電流を強制的に打ち消すものがないため、デューティ設定に対して期待値以上の電流が流れ続けることになり、この残存電流によって多分割駆動が難しいものになるという問題点があった。
【００１３】
更に、特許文献３に記載されたものは、放射状結線された５相ステッピングモータにおいて、相反する励磁を用いて、コイルに流れ続ける電流を打ち消して制御しているものである。しかし、５相ステッピングモータの５相を全て励磁するものではなく、１相をハイインピーダンス状態として残りの４相を励磁しているため、ハイインピーダンス状態が引き起こす急激な電圧の変化によって、モータ回転中に振動が発生する恐れがあった。
【００１４】
【特許文献１】
特許第３１８２３２５号公報（クレーム、段落０００２〜０００７、００１２〜００１９、図１、図２）
【特許文献２】
特開平１０−９４２９１号公報（要約、段落００１４〜００２５、第１図〜第１２図、表１）
【特許文献３】
特許第３１６２８６２号公報（段落００１２、００３３〜００３７、第１１図〜第１３図）
【００１５】
【発明が解決しようとする課題】
本発明は、上述のような問題を取り除き、ステッピングモータの少なくとも駆動時には常時Ｎ相を全て励磁状態となすとともに、従来から用いられている回路を利用した新規なマイクロステップ駆動方法を提供することであり、また、同新規なマイクロステップ駆動方法により駆動されるステッピングモータを提供することにある。
【００１６】
【課題を解決するための手段】
本願発明の課題は本件請求項１〜８に記載された各発明により達成される。
即ち、本件請求項１に係る発明は、定電流コントロール回路及び励磁パターン発生回路を備え、放射状結線したＮ相ステッピングモータのマイクロステップ方法において、ステッピングモータの少なくとも駆動時には、常時Ｎ相を全て励磁状態となし、各基本ステップに対応した合成トルクベクトルを発生させる基本励磁パターンとして、それぞれ少なくとも１以上の組合せによる励磁パターンを前記励磁パターン発生回路に設定し、一つの励磁シーケンス中に前記基本ステップの中間段階に対応した合成トルクベクトルを発生させる中間励磁パターンを、前記中間段階の前後の基本ステップにおけるそれぞれの前記基本励磁パターンの出力割合を変更して組合せた励磁パターンとして前記励磁パターン発生回路に設定し、一つの励磁シーケンス中における前記励磁パターン発生回路から出力される個々の励磁パターンの出力割合をステップ毎に漸増並びに漸減して、前記前段階の基本ステップでの基本励磁パターンから次の基本ステップでの基本励磁パターンへ連続的に変化させ、一つの励磁シーケンス中における前記合成トルクベクトルが、前記ステップ毎に基本ステップ間を多分割駆動されてなることを特徴とするステッピングモータのマイクロステップ方法にある。
【００１７】
この発明では、ステッピングモータの少なくとも駆動時には、常時Ｎ相を全て励磁状態としているので、どの相もハイインピーダンス状態となることがない。このため、相としての各コイル巻線の両端に印加される電圧は常に制御されたものとすることができる。ハイインピーダンス状態が引き起こす急激な電圧の変化が発生することを無くし、ステッピングモータの回転中の振動を抑制することができる。
【００１８】
また、定電流コントロール回路により総電流を検出して、総電流を一定とする制御を行うことができるので、各相に流れる電流を個別に検出して、しかも各相の電流制御を個別に行う必要がなくなる。このため、基本ステップ用の安価な基本回路構成でマイクロステップ駆動を行うことができるようになる。
【００１９】
しかも、中間励磁パターンを前後の基本励磁パターンのそれぞれの出力割合を変更して組合せた励磁パターンにより設定しており、組合せた個々の励磁パターンの出力割合をステップ毎に漸増並びに漸減して、前段階での基本励磁パターンから前記後段階での基本励磁パターンへ連続的に変化させているので、マイクロステップ駆動を行わせる機能を励磁パターン発生回路内のロジック部に集約することができる。
このため、特別な駆動回路を用いることなく、従来のフルステップ用の駆動回路を用いたままで、ロジック部の変更のみでマイクロステップ駆動を実現することができる。
【００２０】
更に、ステッピングモータの駆動タイプとして、一般にモータ駆動電圧制御タイプと出力段チョッパタイプが用いられているが、本願発明のマイクロステップ方法は上記両タイプで駆動するステッピングモータに対して適用することができる。
特に、本願発明のマイクロステップ方法をモータ駆動電圧制御タイプのステッピングモータに適用したときには、マイクロステップの分解能を高分解能とすることができ、出力段チョッパタイプのステッピングモータに適用したときには、ローコストでマイクロステップ駆動回路を構成することができる。
【００２１】
本件請求項２に係る発明は、請求項１記載の事項に加えて、励磁パターン発生回路から出力する個々の励磁パターンの出力周期と定電流コントロール回路から出力されるＰＷＭ周期とを同期させ、各ステップにおける前記励磁パターン発生回路から出力する個々の励磁パターンの励磁時間を均一となし、ステップ毎に前記励磁パターン発生回路から出力する個々の励磁パターンの出力割合の漸増並びに漸減を、各ステップにおいて前記励磁パターン発生回路から出力する個々の励磁パターンの出力周期の発生回数を漸増並びに漸減することを限定したマイクロステップ方法にある。
【００２２】
この発明では、励磁パターン発生回路から出力する個々の励磁パターンの出力周期と定電流コントロールのＰＷＭ周期とを同期させ、個々の励磁パターンの励磁時間を均一としたうえで、励磁パターン発生回路から出力する個々の励磁パターンの出力周期を発生させる回数を漸増並びに漸減することにより、ステップ毎に励磁パターン発生回路から出力する個々の励磁パターンの出力割合の漸増並びに漸減を行っている。
【００２３】
即ち、ＰＷＭ周期と個々の励磁パターン出力の切替を同期させているので、励磁パターン発生回路から出力する個々の励磁パターン出力と定電流コントロールの出力とを一対一の関係とすることができる。
【００２４】
しかも、励磁パターン発生回路から出力する個々の励磁パターンの出力周期を発生させる回数を漸増並びに漸減することにより、マイクロステップの多分割を行うことができるようになる。個々の励磁パターンの出力時間は一定となるので、励磁パターンの組合せの比率で合成トルクベクトルを操作することができるようになる。
【００２５】
また、マイクロステップを制御するロジック回路も簡単となり、従来のフルステップ用の駆動回路を用いたままで励磁パターン発生回路におけるロジック部の変更と、定電流コントロール回路のＰＷＭ周期と励磁パターン発生回路の励磁パターンの出力周期とを同期させることでマイクロステップを行うことが可能となる。本発明により、既存の駆動回路を有効に利用することができ、安価にマイクロステップを行わせることができる。
【００２６】
特に、本発明を出力段チョッパタイプで駆動するステッピングモータに適用したときには、定電流コントロール回路の出力を励磁パターン発生回路が受け取り、出力段におけるスイッチング手段で電流をＯＮ／ＯＦＦ制御することで、ステッピングモータに流れる総電流を一定に制御することができるようになる。
【００２７】
ステッピングモータに流れる電流は、各相におけるコイル巻線のインダクタンスによって平滑されるので、ＰＷＭ周期中における前記スイッチング手段での電流をＯＮしている時間の比率が高くなれば、電流は増加し、前記スイッチング手段での電流をＯＮしている時間の比率が下がれば電流は減少することができる。これにより、定電流コントロールと励磁パターン出力の両方を、出力段で担うことができるようになる。
【００２８】
本件請求項３に係る発明は、請求項２記載の事項に加えて、定電流コントロール回路から励磁パターンの出力をＯＮとする信号が前記励磁パターン発生回路に入力されている間は、前記励磁パターン発生回路から出力する基本励磁パターン又は中間励磁パターンに従って各相を励磁し、同定電流コントロール回路出力から励磁パターンの出力をＯＦＦとする信号が前記励磁パターン発生回路に入力されている間は、前記コイル巻線終端の何れも前記電源電圧の同一極に接続することにより、同コイル巻線の終端すべてを同電位としてモータを非励磁とすることを限定したマイクロステップ方法にある。
【００２９】
この発明では、定電流コントロール回路から励磁パターンの出力をＯＦＦとする指令が励磁パターン発生回路に入力されたときには、励磁パターン発生回路は、出力段の上側のスイッチング手段を全てＯＮまたはＯＦＦさせ、かつ出力段の下側のスイッチング手段をすべて上側のスイッチング手段とは逆にＯＦＦまたはＯＮさせることにより、各相のコイル巻線の終端を同電位となして、各相を非励磁状態としている。
【００３０】
これにより、定電流コントロール回路の出力が励磁パターンの出力をＯＦＦとする指令を励磁パターン発生回路に出力したときには、各相の電位を同電位とすることで安定させることができる。しかも、次のステップに切替えた場合でも、各相の接続点において急激な電位の変化が生じなくなる。仮に、電流のオーバーシュートが発生したとしてもその大きさは非常に小さくすることができ、しかも収斂しやすくすることができる。このため円滑な相電流を流すことができ、またダンピングの低減と低速時の振動を抑えることが可能となる。
【００３１】
本件請求項４に係る発明は、請求項２または３記載の事項に加えて、定電流コントロール回路が、ステッピングモータの各相のインピーダンスの変化による総電流の変化を検出し、前記総電流が一定となるように、励磁パターン発生回路に対してスイッチング手段の電流ＯＮとする時間を制御することを限定したマイクロステップ方法にある。
【００３２】
この発明では、ステッピングモータに流れる電流は、コイル巻線のインダクタンスによって平滑されるので、ＰＷＭ周期中の出力段でのスイッチング手段における電流ＯＮの比率が高くなれば、電流は増加し、電流ＯＮしている時間の比率が下がれば電流は減少することができる。出力段でのスイッチング手段における電流ＯＮ／ＯＦＦ時間の長さを制御することで、各相に流れる総電流を一定に制御することができる。
【００３３】
本件請求項５に係る発明は、請求項１記載の事項に加えて、励磁パターン発生回路から出力する基本励磁パターン及び中間励磁パターンの出力周期を一定となし、ステップ毎に前記励磁パターン発生回路から出力する個々の励磁パターンの出力割合の漸増並びに漸減を、前記励磁パターン発生回路から出力する個々の励磁パターンの励磁時間の比率を変化させることにより行うことを限定したマイクロステップ方法にある。
【００３４】
この発明では、励磁パターン発生回路から出力する基本励磁パターン及び中間励磁パターンの出力周期を一定とした状態で、ステップ毎に励磁パターン発生回路から出力する個々の励磁パターンの出力割合を漸増並びに漸減させるのに、励磁パターン発生回路から出力する個々の励磁パターンの励磁時間の比率を変化させることにより行っている。
【００３５】
このため、個々の励磁パターンの励磁時間をナノオーダー等やそれ以下の時間にまで短縮設定することができ、マイクロステップの分解能を必要なだけ高めることができる。特に、この発明をモータ駆動電圧制御タイプで駆動するステッピングモータに適用したときには、各相の電流を検出することなく、総電流を検出しこれを定電流コントロールにより制御することができるので、回路構成を簡略化することもできる。
【００３６】
本件請求項６に係る発明は、請求項５記載の事項に加えて、定電流コントロール回路が、ステッピングモータの各相のインピーダンスの変化による総電流の変化を検出し、前記総電流が一定となるように、電源電圧と出力段間に前記電源電圧と並列に設けたモータ駆動電圧に対して電源電圧の断接を行う電源用スイッチング手段の電流ＯＮとする時間を制御することを限定したマイクロステップ方法にある。
【００３７】
この発明では、電源電圧とモータ駆動電圧間に設けた電源用スイッチング手段の電流ＯＮ／ＯＦＦ時間を制御することで、モータ駆動電圧を一定とすることができ、各相に供給する総電流を一定となるように制御することができる。
【００３８】
本件請求項７、８に係る発明は、請求項１〜６記載のマイクロステップ方法にて駆動されるステッピングモータを、位置決め用モータまたは超低速等速用モータとして使用することを特徴とするステッピングモータにある。
【００３９】
本願発明によるマイクロステップ方法を適用したステッピングモータは、分割精度を高めることができ、しかもハイインピーダンス状態を生じさせず、低速回転での振動を抑制することができるので、位置決めモータや超低速の等速モータとして使用することができる。本願発明のステッピングモータは、ファクシミリー、複写機、プリンタ、磁気ディスク装置をはじめとするＯＡ機器からＮＣ工作機械、ロボット、半導体製造装置をはじめとする各種ＦＡ機械、駅務機械、食品機械、包装機械といったコンピュータ制御化される機構部の高精度位置決め用モータとして使用することができる。
【００４０】
更に、本願発明のステッピングモータは、位置決め精度をさらに高度化することができ低速回転での振動を抑制することができるので、光ファイバー分野、ナノテクノロジー分野、電子顕微鏡等の位置決め装置の駆動モータまたは超低速等速用駆動部材の駆動モータとして使用することができる。
【００４１】
【発明の実施形態】
以下、本発明の好適な実施の形態を添付図面に基づいて具体的に説明する。
第１実施例では出力段チョッパタイプの放射状結線の３相ステッピングモータを説明し、第２実施例としてモータ駆動電圧制御タイプの放射状結線の３相ステッピングモータを説明し、第３実施例として放射状結線の５相ステッピングモータする。本願発明はこれら各実施例に限定されるものではなく、放射状結線のＮ相が３以上のＮ相ステッピングモータに対して適用できるものである。
【００４２】
図３は、本願発明の第１実施例における出力段チョッパタイプのマイクロステップ回路構成図を示しており、図４は、励磁パターンｖＵｗと励磁パターンＵｗＶを出力する場合の励磁出力の状態を示している。図５は、ＰＷＭ回路と励磁出力との関係を示している。図６は、基本ステップのスタート位置から次の基本ステップまでを１０分割した場合の励磁パターンの発生比率とフルステップ、ハーフステップ時の合成トルクベクトルを示した図であり、図７は、結線方法の３相ステッピングモータにおけるフルステップ及びハーフステップ状態における励磁パターンを示している。
【００４３】
以下図３、図８及び図１２において、スイッチング手段としてトランジスタを用いた例を示しているが、スイッチング手段としてはトランジスタに限定されるものではなく、電界効果トランジスタ（ＦＥＴ）等を用いることができるものである。
【００４４】
図３に示すように、Ｗ相のコイル巻線５とＵ相のコイル巻線６及びＶＷ相のコイル巻線７の各始点が一点で接続され放射状に結線している。Ｗ相のコイル巻線５の終端は、電源電圧１７の正極（＋Ｖｃ）側にはトランジスタＴ１を介して接続され、接地電位（ＧＮＤ）側にはトランジスタＴ４を介して接続されている。これらのトランジスタＴ１、Ｔ４がＯＮ／ＯＦＦすることでＷ相のコイル巻線５に相電流が供給される。
【００４５】
同様にしてＵ相のコイル巻線６の終端は、電源電圧１７の正極（＋Ｖｃ）側にはトランジスタＴ２を介して接続され、接地電位（ＧＮＤ）側にはトランジスタＴ５を介して接続されており、さらにＶ相のコイル巻線７の終端は、電源電圧１７の正極（＋Ｖｃ）側にはトランジスタＴ３を介して接続され、接地電位（ＧＮＤ）側にはトランジスタＴ６を介して接続されている。
【００４６】
即ち、出力段４における各トランジスタＴ１〜Ｔ６のＯＮ／ＯＦＦによって、各相のコイル巻線５〜７の終端を電源電圧１７の正極または負極、即ち接地電位に接続して各相のコイル巻線５〜７に電圧を印加して励磁電流を流すことができる。
【００４７】
各相のコイル巻線５〜７の終端と一対のトランジスタ（Ｔ１，Ｔ４）、（Ｔ２，Ｔ５）、（Ｔ３，Ｔ６）の中点を結ぶ結線と電源電圧１７の正極（＋Ｖｃ）側及び接地電位（ＧＮＤ）側との間にはそれぞれダイオードＤ１〜Ｄ６が設置されているが、これらのダイオードは必ずしも設置することが必要なものではなく、必要に応じて適宜設置することができるものである。
【００４８】
励磁パターン発生回路１は、励磁パターンを内蔵しており、指令パルスによる歩進位置情報と励磁パターンの出力順情報から出力する励磁パターンデータを選択して、出力段４におけるゲート信号として出力し、該当するトランジスタのＯＮ／ＯＦＦ制御を行う。また、定電流コントロール回路２からのＯＦＦ指令、即ち励磁パターンを出力させない指令によって非励磁時の出力処理も行う。
【００４９】
非励磁時の出力処理としては、励磁パターン発生回路１は、出力段４におけるトランジスタＴ１〜Ｔ３を全てＯＦＦさせると共に、出力段４におけるトランジスタＴ４〜Ｔ６を全てＯＮさせること、あるいは、トランジスタＴ１〜Ｔ３を全てＯＮさせると共に、出力段４におけるトランジスタＴ４〜Ｔ６を全てＯＦＦさせることにより、ステッピングモータの各相Ｕ〜Ｗのコイル巻線５〜７の終端を同電位として、各相を非励磁状態とする処理を行う。
【００５０】
これにより、定電流コントロール回路２からの前記ＯＦＦ指令により、各相Ｕ〜Ｗの電位を安定させることができる。次のステップに切替えた場合でも、各相Ｕ〜Ｗの接続点において急激な電位の変化が生じなくなり、電流のオーバーシュートが発生したとしても非常に小さくすることができ、しかも収斂しやすくすることができる。このため円滑な相電流を流すことができるようになり、ダンピングの低減と低速時の振動を抑えることが可能となる。
【００５１】
即ち、定電流コントロール回路２は、総電流をセンシング抵抗３で検出した電圧と基準電圧との誤差を増幅し、図４、５に示すように増幅された比較電圧と定電流コントロール回路２内部で発生するランプ波とを比較して、出力段４における各トランジスタＴ１〜Ｔ６をＯＮさせる時間、即ちＯＮ幅の制御をＰＷＭ制御で行うことができる。
【００５２】
定電流コントロール回路２は、例えば、ステッピングモータの回転速度が上昇して各相Ｕ〜Ｗのインピーダンスが高くなったのを、総電流センシング抵抗３により検出した電圧と基準電圧との誤差を増幅した比較電圧を求め、図５に示すように比較電圧の高さとランプ波との交点から、出力段４のスイッチング手段における電流をＯＮしている時間、即ちＯＮ幅を広げる制御を励磁パターン発生回路１に行わせることで相に流れる電流を一定に保つことができる。また逆に、ステッピングモータの回転速度が減少して各相Ｕ〜Ｗのインピーダンスが低くなると、ＯＮ幅を狭める制御を励磁パターン発生回路１に行わせることで相に流れる電流を一定に保つことができる。
【００５３】
第１実施例で示す出力段チョッパタイプにおいては、定電流コントロール回路２の出力を励磁パターン発生回路１が受け取り、出力段４におけるトランジスタＴ１〜Ｔ６のＯＮ／ＯＦＦ制御を行わせることで、ステッピングモータの各相Ｕ〜Ｗのコイル巻線５〜７に供給する総電流を一定に制御することができる。
【００５４】
定電流コントロール回路２がＯＮ指令を出力したときには、励磁パターン発生回路１は、同励磁パターン発生回路１内に記憶してある励磁パターンに従って出力段４のトランジスタＴ１〜Ｔ６に対してＯＮ／ＯＦＦ制御信号を出力する。これにより、ステッピングモータの各相Ｕ〜Ｗに励磁電流を流すことができ、合成トルクベクトルの向きを動かしてステッピングモータを駆動することができる。
【００５５】
次に、マイクロステップ駆動の例として、基本ステップ（フルステップ）間を１０分割する場合について説明する。放射状結線の３相ステッピングモータは、図１、２に示すように電気角６０度毎のトルクベクトルを構成している。
【００５６】
図７に示すように各基本ステップにおける励磁パターンを均等に出力する２組の励磁パターンにより設定し、基本ステップ間の中間段階における励磁パターンを前後の基本ステップにおける励磁パターンの出力割合を変化させることにより設定することができる。
【００５７】
例えば、図７に示すようにハーフステップにおける励磁パターンについてみると、前後の励磁パターンを加えて、それを１／２としたものを励磁パターンとすることができる。
即ち、スタート位置である基本ステップにおける励磁パターンとしてｖＵｗとＵｗＶとをＮ／２個ずつ交互に出力している状態を考えると、次の基本ステップにおいては励磁パターンとしてＵｗＶとｗＶｕとをＮ／２個ずつ交互に出力した状態を設定している。この２つの基本ステップ間のハーフステップにおける励磁パターンは、Ｎ／２個ずつ交互に出力するｖＵｗとＵｗＶに、同じくＮ／２個ずつ交互に出力するＵｗＶとｗＶｕとを加えてそれぞれを１／２とした、（Ｎ／２）／２のｖＵｗとＮ／２のＵｗＶと（Ｎ／２）／２のｗＶｕをそれぞれの出力個数の比率で交互に出力する３つの励磁パターンの組合せで設定することができる。
【００５８】
なお、基本ステップにおける励磁パターンは、図７に示すものに限定されるものではなく他の励磁パターンにより設定することができるものである。
【００５９】
スタート位置における合成トルクベクトルをＵｗとして、次の基本ステップでの合成トルクベクトルｗＶまでの電気角６０度を１０分割し、分割数（１０）の２倍の２０個の励磁パターン出力でトルクベクトルを合成する場合について見ると、このときの基本ステップのフルステップにおける励磁パターン及びハーフステップにおける励磁パターンは、上述した通り図７に示す励磁パターンとすることができる。
【００６０】
図６は、励磁パターンｖＵｗと励磁パターンＵｗＶを出力する場合の励磁出力の状態を示したもので、励磁パターン発生回路１と定電流コントロール回路２におけるＰＷＭ周期によって出力段４は「ｖＵｗの励磁と非励磁」・「ＵｗＶの励磁と非励磁」を繰り返すことになる。この結果、励磁による合成トルクベクトルは、Ｖとｖが同じ比率で打ち消し合うこととなり、Ｕｗの方向になる。
【００６１】
励磁パターン発生回路１は、指令パルスによってシーケンスが進む毎に２０個の励磁パターンの出力比率を変えていく。最初にスタート位置から指令パルスが励磁パターン発生回路１に一発入力されると、励磁シーケンスは「＋１」歩進することになる。このとき、励磁パターン発生回路１は、２０個の励磁パターンの出力比率を「ｖＵｗ：ＵｗＶ：ｗＶｕ＝９：１０：１」とする。
【００６２】
次に指令パルスが励磁パターン発生回路１に入力されると、２０個の励磁パターンの出力比率を「ｖＵｗ：ＵｗＶ：ｗＶｕ＝８：１０：２」とする。
【００６３】
このようにして、各ステップで励磁パターンＵｗＶは一定のまま、ステップ毎に励磁パターンｖＵｗが１個ずつ減少し、励磁パターンｗＶｕが１個ずつ増加していくことになる。即ち、励磁パターンの出力割合をステップ毎に漸減並びに漸増させることができる。
【００６４】
中間のハーフステップ（＋５ステップ目）では、励磁パターンの発生比率は「ｖＵｗ：ＵｗＶ：ｗＶｕ＝５：１０：５」となり、合成トルクベクトルはｗの方向となる。また、図６から分る通り、どのステップ位置においても２０個の励磁パターンでトルクベクトルを合成することができる。
【００６５】
このようにして、指令パルスによってシーケンスが進む各ステップ毎に、励磁パターン発生回路１は２０個の励磁パターンを定電流コントロール回路２のＰＷＭ周期と同期して切替えることができる。
【００６６】
２０個の励磁パターンは、励磁パターン発生回路１において予め定めておいた順番で出力することができる。指令パルスが入力されない限り、歩進は行われず、その位置での励磁パターンを繰り返し順番に出力し続けることになる。
【００６７】
ＰＷＭの周期を、仮に１０μｓとした場合には、励磁パターンによる合成トルクベクトルは２００μｓ（１０μｓ×２０パターン）周期で制御できることになる。
【００６８】
基本ステップ間の分割数を１０とし、２０個の励磁パターン出力でトルクベクトルを合成し、ＰＷＭ周期を１０μｓとした場合を説明したが、上述の分割数や励磁パターンの出力数、ＰＷＭの周期に限定されるものではなく、任意の分割数や励磁パターンの出力数及びＰＷＭ周期を設定できるものである。
【００６９】
次に、本願発明の第２実施例におけるモータ駆動電圧制御タイプのマイクロステップ方法について説明する。図８には第２実施例におけるマイクロステップ回路構成図をしめしており、図９は、励磁パターンの出力周期を一定とし、ステップ毎の個別の励磁パターンｖＵｗ、ＵｗＶ及びｗＶｕの出力時間とその出力割合を示している。図１０は、励磁パターン出力のサイクルと励磁パターン出力時間との関係を示しており、図１１には、フルステップ及びハーフステップ状態における励磁パターンを示している。
【００７０】
第２実施例におけるモータ駆動電圧制御タイプのマイクロステップ回路構成図は、基本的には第１実施例における出力段チョッパタイプのマイクロステップ回路構成図と同様の回路構成を備えており、共通する回路構成については同一の機能を奏するので、第１実施例で用いた部材符号と同じ部材符号を用いることによりその部材の説明を省略する。
【００７１】
また、第２実施例で説明する励磁パターンは、第１実施例における励磁パターンと同じ励磁パターンを用いるが、第２実施例で用いることのできる励磁パターンは、以下で説明する励磁パターンに限定されるものではなく、本願発明を達成することのできる励磁パターンであれば、他の励磁パターンを採用することができるものである。
【００７２】
出力段４においてダイオードＤ１〜Ｄ６を設けているが、これらのダイオードＤ１〜Ｄ６は必ずしも設定することが必要なものではなく、必要に応じて適宜設定することができるものである。
【００７３】
図８に示すようにモータ駆動電圧制御タイプでは、出力段チョッパタイプのように電源電圧１７を出力段４から直接ステッピングモータの各相Ｕ〜Ｗのコイル巻線５〜７に印加するのではなく、電源電圧１７を一旦モータ駆動電圧１８に変換した後に、ステッピングモータの各相Ｕ〜Ｗのコイル巻線５〜７に印加している。
【００７４】
電源電圧１７と出力段４との間にはモータ駆動電圧１８及びダイオード１０がそれぞれ並列に配され、電源用スイッチング手段８及びコイル９が電源電圧１７とモータ駆動電圧１８間に直列に配されている。電源用スイッチング手段８としてトランジスタを用いたものを示しているが、電源用スイッチング手段８としてはトランジスタに限定されるものではなく、電界効果トランジスタ（ＦＥＴ）等を用いることができる。
【００７５】
定電流コントロール回路２は、総電流センシング抵抗３で検出された電圧と基準電圧とを比較して、ステッピングモータのコイル巻線におけるインピーダンスの変化を検出し、電源用スイッチング手段８のＯＮ／ＯＦＦ制御を行うことでモータ駆動電圧１８を制御して、モータ駆動電圧１８からステッピングモータに供給する総電流を一定になるように制御している。
【００７６】
総電流センシング抵抗３で検出された電圧と基準電圧との誤差を増幅した比較電圧と、定電流コントロール回路２内部で発生するランプ波とを比較して、図５に示したと同様にステッピングモータのコイル巻線５〜７におけるインピーダンスが高いことを検出すると、電源用スイッチング手段８で電流をＯＮする時間、即ちＯＮ幅を広げてモータ駆動電圧１８を高くする。また、インピーダンスが低いことを検出したときには、電源用スイッチング手段８のＯＮ幅を狭めてモータ駆動電圧１８を低くする。
この電源用スイッチング手段８を制御することによって、ステッピングモータの各相に流れる総電流を一定に制御することができる。
【００７７】
励磁パターン発生回路１は、励磁パターンを出力段４にゲート信号として出力するだけであり、出力段チョッパタイプのときのように励磁／非励磁を行わずに、常にステッピングモータは励磁状態とすることができる。定電流コントロール回路２により総電流の制御を行っているので、励磁パターン発生回路１と出力段４の間で励磁／非励磁のスイッチングを行わなくてすむ。
【００７８】
また、出力段チョッパタイプでは、ＰＷＭ周期と励磁パターン発生回路１から出力される基本励磁パターン或いは中間励磁パターンの周期とを同期させているので、基本ステップ間で分割することのできる励磁パターン数は自ずと制限が加わっている。これに対し、モータ駆動電圧制御タイプでは、定電流コントロール回路２とは独立して励磁パターン発生回路１から励磁パターンを出力することができるので、基本ステップ間で分割することのできる励磁パターン数は自由に設定することができ、出力段チョッパに比べて、マイクロステップとしてはるかに多くの分割を行うことが可能となる。
【００７９】
次に、マイクロステップ駆動を行うための第２実施例における多分割する方法について説明する。
図１１に示すように基本ステップでの励磁では、第１実施例と同様に２種類の３相励磁パターンを組み合わせて、励磁パターンによる合成トルクベクトルを作る。
【００８０】
基本ステップ以外の励磁では、３種類の３相励磁パターンを組み合わせて、励磁パターンによる合成トルクベクトルを作る。このとき、基本励磁パターン及び中間励磁パターンの出力周期を一定に定めて、同一定の出力周期内で個別の励磁パターンの出力時間の割合を変えることによって、シーケンス中の各ステップでの合成トルクベクトルを操作する。
【００８１】
図９は、基本励磁パターン及び中間励磁パターンの出力周期を１００μｓとし、スタート位置（フルステップ）から次のフルステップまでを１００分割した場合における、各ステップにおける個別の励磁パターンの出力時間と出力周期１００μｓに対する割合を示している。
【００８２】
指令パルスが励磁パターン発生回路１に入力される毎に、歩進する個別の励磁パターンｖＵｗを０．５μｓずつ減らし、励磁パターンｗＶｕを０．５μｓずつ増やしていく。この操作は、すべての励磁パターン発生回路１におけるロジック回路で構成することができる。
【００８３】
なお、１００μｓとした出力周期や基本ステップから次の基本ステップまでを１００分割し、ステップ毎の増減する出力時間を０．５μｓとしたものは、説明用の例示であって、本願発明は、これらの数値に限定されるものではなく、ナノセコンド（ｎｓ）オーダーでの出力周期、出力時間等任意の値および単位で行うことができるものである。
【００８４】
図１０には、基本励磁パターン及び中間励磁パターンの出力周期と個別の励磁パターンの出力時間の割合を示している。このとき、基本励磁パターン及び中間励磁パターン出力周期は常に一定としている。
【００８５】
励磁パターン発生回路１に指令パルスが入力される毎に、励磁パターンｖＵｗの出力時間を０．５μｓずつ漸減し、励磁パターンｗＶｕの出力時間を０．５μｓずつ漸増させ、励磁パターンＵｗＶは各ステップにおいて出力時間を一定としている。
【００８６】
これにより、個別の励磁パターン出力時間の割合を変化させることで、合成トルクベクトルを変化させ、これによりステッピングモータを歩進させることができる。即ち、スタート時の基本ステップでは、合成ベクトルがＵｗであったものが、ハーフスッテップにおいてはｗとなり、次の基本ステップではｗＶとすることができる。
【００８７】
指令パルスが励磁パターン発生回路１に入力されない限り、その位置での個々の励磁パターンの出力時間の割合は変化せずに出力を繰り返し、ステップが歩進することで次のステップにおける個別の励磁パターンの出力時間の割合が更新され新たな出力時間で個別の励磁パターンの出力が繰り返される。
【００８８】
図１１に、第２実施例における基本ステップとハーフステップにおける励磁パターンの様子を示しているように、基本ステップ間では、ＰＴ２の出力時間は一定で、ＰＴ１の出力時間はステップ毎に０．５μｓずつ減少し、ＰＴ３はステップ毎に０．５μｓずつ増加する。
次の基本ステップにおいては、前段階でＰＴ１の励磁パターンの出力時間がゼロとなり、代わって前段階でＰＴ２であった励磁パターンが新たなＰＴ１となる。ＰＴ２には前段階でＰＴ３であったものが代わりに入り、ＰＴ３としては更にその次の基本ステップにおけるＰＴ２となるものが入ることになる。
【００８９】
第２実施例においては、各相の電流を検出することなく、定電流コントロール回路２により総電流を検出し、これにより電源用スイッチング手段８を制御することでモータ駆動電圧を制御して、総電流を一定に制御することができる。また、基本ステップにおける励磁では、２種類の３相励磁パターンを組み合わせることで、２種類の個別の励磁パターンから合成トルクベクトルを作ることができる。
【００９０】
更に、基本ステップ以外における励磁では、３種類の３相励磁パターンを組み合わせることによって、個別の励磁パターンによる合成トルクベクトルを作ることができる。しかも、２種類の個別の励磁パターンは前後の基本ステップにおける励磁パターンの組合せ割合を変えることにより作ることができる。
【００９１】
しかも、基本励磁パターン及び中間励磁パターンの出力周期を一定にして、周期内に出力する個別の励磁パターンの出力時間の割合をステップ毎に変更することによって、各ステップにおける個別の励磁パターンよって作られる合成トルクベクトルを操作することができ、基本ステップを多分割するマイクロステップを行うことができる。
【００９２】
次に第３実施例である放射上結線の５相スッテピングモータについて説明する。第３実施例においても出力段チョッパタイプ及びモータ駆動電圧制御タイプで駆動するステッピングモータに対して適用することができる。図１２には、出力段チョッパタイプ及びモータ駆動電圧制御タイプにおける５相ステッピングモータのマイクロステップ回路構成の一部として出力段と結線図との関係を示している。
【００９３】
３相における出力段チョッパタイプ及びモータ駆動電圧制御タイプをそれぞれ示した図３及び図８の出力段４では、一対のトランジスタが３組並列に配されているが、図１２に５相の出力段４を示すように、更に２組の一対のトランジスタが配され、各一対のトランジスタの中点が５相Ａ〜Ｅのコイル巻線の終端と各別に連結した構成となっている。これ以外の構成は、出力段チョッパタイプでは図３に示す構成及びモータ駆動電圧制御タイプでは図８に示す構成と同じ構成となっているので、各部材についての説明は省略する。
【００９４】
出力段４におけるスイッチング手段としてトランジスタを用いた例を示しているが、スイッチング手段としてはトランジスタに限定されるものではなく、電界効果トランジスタ（ＦＥＴ）等を用いることができるものである。また、出力段４においてダイオードＤ１〜Ｄ１０を設けているが、これらのダイオードＤ１〜Ｄ１０は必ずしも設定することが必要なものではなく、必要に応じて適宜設定することができるものである。
【００９５】
３相における励磁パターンとして図１３には、出力段チョッパタイプにおける励磁パターンとして、また図１４には、モータ駆動電圧制御タイプにおける励磁パターンとして、基本ステップおよびハーフステップでの励磁パターンを示している。これに対して５相のときは、３相のときとは異なり基本ステップでの励磁パターンは１種類で行うことができ、中間における励磁パターンは、前後の基本励磁パターンである２種類の励磁パターンの出力割合を変化させることにより得ることができる。
【００９６】
前後の基本励磁パターンの出力割合を変化させる方法は、３相のときに出力段チョッパタイプ及びモータ駆動電圧制御タイプで行ったと同様に、基本ステップにおける基本励磁パターンと次の基本ステップにおける基本励磁パターンとのそれぞれの出力割合を、ステップ毎に漸減並びに漸増することにより、基本ステップの励磁パターンから次の基本ステップの励磁パターンへ連続的に変化させることができる。
【００９７】
しかも、３相のときと同様に、５相においても出力段チョッパタイプでは、定電流コントロール回路２からのＰＷＭ周期と励磁パターン発生回路１から出力する励磁パターンの出力とを同期させ、各ステップ毎の個々の励磁パターンの出力周期を出力する回数を漸減並びに漸増することによりマイクロステップ駆動を行わせることができ、モータ駆動電圧制御タイプでは、各ステップ毎の個々の励磁パターンの出力周期の時間の割合を漸減並びに漸増することによりマイクロステップ駆動を行わせることができる。
このため５相の場合については、その具体的な説明を省略する。
【００９８】
５相の場合もステッピングモータの駆動時には、５相すべてを励磁することができ、ハイインピーダンス状態を生じさせることがなくステッピングモータの駆動を行うことができる。また、出力段チョッパタイプの場合には、３相のときの出力段チョッパタイプと同様に励磁パターンの制御を行うことができ、非励磁状態において３相のときと同様に５相すべてのコイル巻線の終端を同一極とする。
【００９９】
モータ駆動電圧制御タイプのときには、３相のときのモータ駆動電圧制御タイプと同様に励磁パターンの制御を行うことができる。
【０１００】
以上、３相及び５相の放射状結線したステッピングモータについて説明したが、本願発明は３相及び５相に限定されるものではなく、３相以上の放射状結線したＮ相ステッピングモータのマイクロステップ方法として適用できるものである。しかも、本願発明によるマイクロステップ方法を適用したステッピングモータは、分割精度を高めることができしかもハイインピーダンス状態を生じさせず、低速回転での振動を抑制することができるので、位置決めモータや超低速の等速モータとして使用することができる。
【０１０１】
本願発明のステッピングモータは、ファクシミリー、複写機、プリンタ、磁気ディスク装置をはじめとするＯＡ機器からＮＣ工作機械、ロボット、半導体製造装置をはじめとする各種ＦＡ機械、駅務機械、食品機械、包装機械といったコンピュータ制御化される機構部の高精度位置決め用モータとして使用することができる。
【０１０２】
更に、本願発明のステッピングモータは、位置決め精度をさらに高度化することができ低速回転での振動を抑制することができるので、光ファイバー分野、ナノテクノロジー分野、電子顕微鏡等の位置決め装置用モータや超低速等速用モータとして使用することができる。
【図面の簡単な説明】
【図１】放射状結線した３相ステッピングモータのモータ結線図である。
【図２】３相ステッピングモータのトルクベクトル図である。
【図３】３相ステッピングモータの出力段チョッパタイプのマイクロステップ回路構成図である。
【図４】出力段チョッパタイプにおける励磁出力状態を示す図である。
【図５】出力段チョッパタイプにおけるＰＷＭ回路と励磁出力との関係を示す図である。
【図６】出力段チョッパタイプにおける基本ステップ及びハーフステップにおける合成ベクトルを示した図である。
【図７】出力段チョッパタイプにおける励磁パターンを示した図である。
【図８】モータ駆動電圧制御タイプにおけるマイクロステップ回路構成図である。
【図９】モータ駆動電圧制御タイプにおける励磁パターンの出力割合を示している図である。
【図１０】モータ駆動電圧制御タイプにおける励磁パターン出力周期と出力時間の関係を示す図である。
【図１１】モータ駆動電圧制御タイプにおける励磁パターンを示す図である。
【図１２】５相ステッピングモータの出力段を示す図である。
【図１３】５相の出力段チョッパタイプにおける励磁パターンを示した図である。
【図１４】５相のモータ駆動電圧制御タイプにおける励磁パターンを示した図である。
【図１５】従来例におけるマイクロステップ回路構成図である。
【図１６】従来例における出力段におけるデューティ制御を示す図である。
【符号の説明】
１              励磁パターン発生回路
２              定電流コントロール回路
３              センシング抵抗
４              出力段
５〜７          コイル巻線
８              電源用スイッチング手段
９              コイル
１０              ダイオード
１１〜１５        コイル巻線
１７              電源電圧
１８              モータ駆動電圧
２１〜２５        相コイル
＋Ｖｃ            電源電圧の正極電位
＋Ｖｍ            モータ駆動電圧の正極電位
ＧＮＤ            接地電位
Ｔ１〜Ｔ１０      スイッチング手段
Ｄ１〜Ｄ１０      ダイオード
Ａ〜Ｅ、ａ〜ｅ    トルクベクトル
Ｕ〜Ｗ、ｕ〜ｗ    トルクベクトル
ＴＡＰ〜ＴＥＰ    トランジスタ
ＴＡＮ〜ＴＥＮ    トランジスタ
【図１】
2004266974.tif 000003
【図２】
2004266974.tif 000004
【図３】
2004266974.tif 000005
【図４】
2004266974.tif 000006
【図５】
2004266974.tif 000007
【図６】
2004266974.tif 000008
【図７】
2004266974.tif 000009
【図８】
2004266974.tif 000010
【図９】
2004266974.tif 000011
【図１０】
2004266974.tif 000012
【図１１】
2004266974.tif 000013
【図１２】
2004266974.tif 000014
【図１３】
2004266974.tif 000015
【図１４】
2004266974.tif 000016
【図１５】
2004266974.tif 000017
【図１６】
2004266974.tif 000018